(57)【要約】　　　（修正有）【課題】マイク本体にメカニカルスイッチを設ける構成では、スイッチの切り忘れによるハウリングの事故、スイッチの入れ忘れによるマイク駆動不可の事故が起こる。また、ミキサーによるオンオフ制御の場合においては、多数のマイクを用いると操作が煩雑になりミスが発生しやすい。この発明は、オン状態オフ状態の制御が自動的に行われるマイクロフォン制御回路およびマイクロフォンを提供する。【解決手段】人体との距離を測定する距離センサ１００と、前記距離が第１の閾値以下のときにマイク出力を大に設定し、前記距離が第２の閾値以上のときにマイク出力を小に設定する出力制御手段３００とを有する。【選択図】　図２
2004096154.tif 000002
【特許請求の範囲】
【請求項１】
人体との距離を測定する距離センサと、
前記距離が第１の閾値以下のときにマイク出力を大に設定し、前記距離が第２の閾値以上のときにマイク出力を小に設定する出力制御手段と
を有することを特徴とするマイクロフォン制御回路。
【請求項２】
前記第１の閾値に対応する距離よりも前記第２の閾値に対応する距離の方が長く、
前記距離が前記第２の閾値より大きい第３の閾値から前記第１の閾値に到達するまでマイク出力が距離変化に対応して徐々に上昇し、前記第１の閾値以下に到達すると大に設定し、
前記距離が前記第１の閾値より小さい第４の閾値を超えると前記第２の閾値に到達するまでマイク出力が距離変化に対応して徐々に低下し、前記第２の閾値以上に到達すると小に設定することを特徴とする請求項１記載のマイクロフォン制御回路。
【請求項３】
請求項１記載のマイクロフォン制御回路を有することを特徴とするマイクロフォン。
【発明の詳細な説明】
【０００１】
【発明の属する技術分野】
本発明は、講演・演奏に用いて好適なマイクロフォン制御回路およびマイクロフォンに関する。
【０００２】
【従来の技術】
従来の演奏用・講演用マイクにおいては、マイク本体にメカニカルスイッチが設けられ、演奏者、講演者が必要に応じて該メカニカルスイッチを投入していた。あるいは、該マイクを接続したミキサーによってオンオフ制御あるいは音量調節を行っていた。
また、特開平１０−９７２５３号公報には赤外線投光器から発した光を人体に反射・散乱させ、該反射・散乱光を赤外線受光器で受光して、受光量が所定値より少ないときには、距離が離れており、受光量が該所定値より多いときには距離が近いと判定する距離センサが開示されている。
【０００３】
【発明が解決しようとする課題】
しかし、マイク本体にメカニカルスイッチを設ける構成では、スイッチの切り忘れによるハウリングの事故、スイッチの入れ忘れによるマイク駆動不可の事故が起こる。これらの事故は、特に多人数でマイクを使用する場合に生じやすい。また、ミキサーによるオンオフ制御の場合においては、多数のマイクを用いると操作が煩雑になりミスが発生しやすい。さらに、ミキサーのオペレータが不在の場合には事実上オンオフ制御をすることが出来ない。
この発明は、上述した事情に鑑みてなされたものであり、オン状態オフ状態の制御が自動的に行われるマイクロフォン制御回路およびマイクロフォンを提供することを目的とする。
【０００４】
【課題を解決するための手段】
上記課題を解決するため本発明にあっては、下記構成を具備することを特徴とする。なお、かっこ内は例示である。
請求項１記載のマイクロフォン制御回路にあっては、人体との距離を測定する距離センサと、前記距離が第１の閾値以下のときにマイク出力を大（ＯＮ状態）に設定し、前記距離が第２の閾値以上のときにマイク出力を小（ＯＦＦ状態）に設定する出力制御手段（電子ボリューム）とを有することを特徴とする。
さらに、請求項２記載のマイクロフォン制御回路にあっては、前記第１の閾値に対応する距離よりも前記第２の閾値に対応する距離の方が長く、前記距離が前記第２の閾値より大きい第３の閾値から前記第１の閾値に到達するまでマイク出力が距離変化に対応して徐々に上昇し、前記第１の閾値以下に到達すると大に設定し、前記距離が前記第１の閾値より小さい第４の閾値を超えると前記第２の閾値に到達するまでマイク出力が距離変化に対応して徐々に低下し、前記第２の閾値以上に到達すると小に設定することを特徴としてもよい。
さらに、請求項３記載のマイクロフォンにあっては、請求項１記載のマイクロフォン制御回路を有することを特徴とする。
【０００５】
【発明の実施の形態】
１．　実施形態の構成
本発明の一実施形態であるマイクロフォンの構成を図２（ａ）を参照して説明する。
図において、１００は距離センサであり、反射光の強弱を検出することによって、演奏者・講演者とマイクとの距離を検出する。１０は発光素子であり、赤外線ＬＥＤが用いられ、集光レンズにより指向性が付与されている。なお、発光素子１０の指向特性は、マイクの指向特性とほぼ一致するように設定されている。２０は受光素子であり、フォトダイオードが用いられる。受光素子２０も発光素子１０と同様な指向特性を有している。該フォトダイオードは、赤外線を受光し、電流を出力する。また、可視光を透過しないようにフィルタが取り付けられている。５０はセンサ回路であり、発光素子１０を駆動し、受光素子２０からの信号を処理する。ここで、図２（ｂ）を参照すると、センサ回路５０は、Ａ／Ｄ変換器６０、ＣＰＵ回路７０および駆動回路８０から構成される。Ａ／Ｄ変換器６０はアナログ電圧をデジタル信号に変換する。ＣＰＵ回路７０は、ＣＰＵ、ＲＯＭ、ＲＡＭから構成され、デジタル信号を処理する。駆動回路８０は、発光素子１０に一定電流を流す。
【０００６】
再び、図２（ａ）を参照して、２００はマイクロフォン受音部であり、コンデンサマイクが用いられ、音圧の変化を容量の変化として検出する。該コンデンサマイクには、直列に検出用の抵抗が接続され、該直列回路には比較的高い電圧が印加される。該抵抗両端の電圧を検出することにより、音声が電圧の変化として検出される。３００は電子ボリュームであり、外部信号により入力レベルを可変する。電子ボリュームは乗算器によって実現され、ＯＴＡ（ＯＰＥＲＡＴＩＯＮＡＬ＿ＴＲＡＮＣＥＣＯＮＤＵＣＴＡＮＣＥ＿ＡＭＰＬＩＦＩＥＲ）などが用いられる。そして、電子ボリューム３００の出力は、ＨＯＴ端子、ＣＯＬＤ端子を介して、外部に出力される。さらに、筐体はＧＮＤ端子を介して接地される。なお、距離センサ１００および電子ボリューム３００によってマイクロフォン制御回路が構成される。以上の構成要素により、本実施形態のマイクロフォン１０００が構成されている。なお、外観図（図１）に示されるように、マイクロフォン受音部２００はマイクロフォン１０００の上面部に設けられ、発光素子１０、受光素子２０が含まれる距離センサは、該上面部に設けられている。
【０００７】
２．　実施形態の動作
本実施形態の動作を、図２（ｂ）を参照して説明する。
電源投入等により、駆動回路８０により、発光素子１０が点灯する。マイクロフォン受音部２００を口に近づけると、放射された赤外光が演奏者・講演者によって反射・散乱され、受光素子２０に入射される。受光素子２０による出力電流が、Ａ／Ｄ変換器６０によりデジタル信号に変換される。ＣＰＵ回路７０によって、変換されたデジタル信号が予め決められた基準値と比較される。
【０００８】
該デジタル信号の値が大きな値であれば、反射・散乱光が多く、マイクと演奏者・講演者との距離が小さい。一方、該デジタル信号の値が小さな値であれば反射・散乱光が少なく、マイクと演奏者・講演者との距離が離れている。したがって、予め設定された基準値と比較することによって、距離の概略が判定される。
【０００９】
図２（ｃ）の特性図に示されるように、電子ボリューム３００の制御によって、マイクと演奏者・講演者との距離が非常に離れているときには、最低音量である「小（ＯＦＦ状態）」に設定される。マイクと演奏者・講演者との距離が短縮し、一定距離（ａ点）を超えると、徐々に出力電圧が上昇し、一定距離（ｂ点）以上で、最大音量である「大（ＯＮ状態）」に設定される。一方、マイクと演奏者・講演者との距離が離れるときには、徐々に出力電圧が低下されるところ、出力低下の開始地点が、ｂ点よりも短い距離（ｃ点）にされ、ｄ点で最低音量である「小」に設定される。このとき、ａ点の方がｄ点より大きい。このＯＮ、ＯＦＦ特性によりスピーカからの音声フィードバックによるハウリングが回避され、ヒステリシス特性により、使用時の音切れが回避される。
【００１０】
３．　変形例
本発明は上述した実施形態に限定されるものではなく、例えば以下のような種々の変形が可能であり、全て本発明の範疇に含まれる。
（１）上記実施形態は、受光素子２０の出力をＡ／Ｄ変換し、ＣＰＵ回路７０によって距離の概略を判定していたが、アナログ回路を用いても類似の機能を実現することが出来る。この場合においては、アナログ回路によるヒステリシスコンパレータが用いられ、電子ボリュームの代わりに、アナログスイッチあるいはリレースイッチが用いられる。それ故、図２（ｄ）のように、マイク出力が距離の変化に対して、急峻にＯＮ状態、ＯＦＦ状態にされる。
（２）上記実施形態は、演奏者・講演者とマイクとの距離のみで、出力特性を制御したが、ＯＮ状態とＯＦＦ状態とで動作スピードを変化させることも可能であり、マイクを近づけると即時にＯＮするが、マイクを遠ざけると、猶予時間後にＯＦＦ状態に変化する動作をさせることも可能である。
（３）上記実施形態は、マイクロフォンの中に距離センサおよび制御回路を設けたが、距離センサ１００および電子ボリューム３００から構成されるマイクロフォン制御回路を、通常のマイクロフォンのコネクタ部に取り付けることが可能な形状としてもよい。
（４）上記実施形態は、発光素子に集光レンズを設けて指向性距離センサとしたが、指向性を有しない発光素子を用いて、無指向性（半指向性）の距離センサとしてもよい。
（５）上記実施形態は、赤外光を利用した距離センサを用いたが、特定周波数の音波の反射時間を測定する距離センサを用いてもよい。
（６）上記実施形態は、コンデンサマイクを用いたが、電磁型、圧電型のマイクロフォンを用いてもよい。
（７）コンデンサマイクに供給する電源としては、ファントム電源を利用してミキサー側から電源を供給しても良いし、その他外部から電源を供給しても良い。（もちろん、マイク本体（内部）に電源を備えても良い。）
【００１１】
【発明の効果】
以上説明したように請求項１に係る発明によれば、距離センサによって測定した人体との距離によって、マイク出力が自動的に大（ＯＮ状態）あるいは小（ＯＦＦ状態）に設定される。
【図面の簡単な説明】
【図１】本発明の一実施形態であるマイクロフォンの外観図である。
【図２】本発明の一実施形態であるマイクロフォンの構成図および特性図である。
【符号の説明】
１０…発光素子、２０…受光素子、５０…センサ回路、６０…Ａ／Ｄ変換器、７０…ＣＰＵ回路、８０…駆動回路、１００…距離センサ、２００…マイクロフォン受音部、３００…電子ボリューム（出力制御手段）、１０００…マイクロフォン
【図１】
2004096154.tif 000003
【図２】
2004096154.tif 000004